(57)【要約】【課題】写真を鮮やかに見せることができると同時に丈夫な台紙及びアルバムを提供する。【解決手段】  台紙１０は、シート状のベース部２０とベース部の少なくとも一方の表面に重ねられる透明のカバーシート３０Ａ、３０Ｂとの間に矩形状のポケット４０Ａ〜４０Ｄが形成されており、ポケット４０Ａ〜４０Ｄは一辺が口部４１として開放され他の少なくとも二辺が溶着により塞がれている。ベース部２０は無延伸ポリプロピレンを素材としたフィルム、カバーシート３０Ａ、３０Ｂは２軸延伸ポリプロピレンを素材としたフィルムにより形成される。【選択図】図１
2017080953.tif 000002
【特許請求の範囲】
【請求項１】
シート状のベース部と前記ベース部の少なくとも一方の表面に重ねられる透明のカバーシートとの間に矩形状のポケットが形成されており、前記ポケットは一辺が口部として開放され他の少なくとも二辺が溶着により塞がれている台紙であって、
前記ベース部は無延伸ポリプロピレンを素材としたフィルム、前記カバーシートは２軸延伸ポリプロピレンを素材としたフィルムにより形成される台紙。
【請求項２】
前記カバーシートは、前記ベース部を中間に挟んでベース部の両面上に折り重ねられており、前記ポケットは、カバーシートの折り返し縁と平行する縁が前記口部として開放され、折り返し縁と直交する二辺が溶着により塞がれている請求項１に記載の台紙。
【請求項３】
前記ポケットの口部とポケットは、写真の挿脱が可能な幅に形成されている請求項１または２に記載の台紙
【請求項４】
請求項１〜３のいずれかに記載の台紙が複数枚綴じられているアルバム。
【発明の詳細な説明】
【技術分野】
【０００１】
本発明は、台紙及びアルバムに関し、詳しくは、ベース部とカバーシートとの間に矩形状のポケットが形成された台紙とその台紙が用いられたアルバムとに関するものである。
【背景技術】
【０００２】
従来より、例えば特許文献１に示されるようなポケット式アルバムの台紙が提案されている。特許文献１の台紙は、シート状のベース部が透明のカバーシートで覆われており、ベース部とカバーシートとの間に写真を収容するための矩形状のポケットが形成されている。カバーシートの一辺はポケットの口部として開放されており、口部より写真がポケットに出し入れされる。
【０００３】
このようなポケット式アルバムの台紙では、ベース部及びカバーシートは、写真をポケットへ出し入れする際に破れにくいように、丈夫で裂けにくい無延伸ポリプロピレンフィルム（以下、「ＣＰＰフィルム」（Cast polypropylene films）という。）で作製されることが多い。
一方で、ポケットに収容された写真が鮮やかに見えるように、ＣＰＰフィルムよりも透明度の高い２軸延伸ポリプロピレン（以下、「ＯＰＰフィルム」（Oriented Polypropylene films）という。）を用いてアルバムの台紙を作製することも行われている。
【先行技術文献】
【特許文献】
【０００４】
【特許文献１】特開２００１−２５３１８８号公報
【発明の概要】
【発明が解決しようとする課題】
【０００５】
しかし、ＯＰＰフィルムは、透明度はＣＰＰフィルムよりも高いが、ノッチ（切り込み）での引き裂き抵抗が小さく、裂け目から裂けやすい。特に、写真をポケットに挿入する際には、ポケットの口部から写真の側端部をベース部上で滑らせるようにして挿入するため、写真の角部がベース部に引っ掛かり裂け目ができやすい。このため、この裂け目からベース部が大きく裂けてしまい、ポケットに写真が収容できなくなるという問題がある。
【０００６】
本発明は、上記した課題に着目してなされたものであり、写真を鮮やかに見せることができると同時に丈夫で裂けにくい台紙と、その台紙が用いられたアルバムとを提供することを目的とする。
【課題を解決するための手段】
【０００７】
第１の発明の台紙は、シート状のベース部と前記ベース部の少なくとも一方の表面に重ねられる透明のカバーシートとの間に矩形状のポケットが形成されており、前記ポケットは一辺が口部として開放され他の少なくとも二辺が溶着により塞がれている。前記ベース部は無延伸ポリプロピレンを素材としたフィルム、前記カバーシートは２軸延伸ポリプロピレンを素材としたフィルムにより形成されている。上記の目的はこの台紙により達成される。
【０００８】
上記の構成によれば、ベース部を丈夫でノッチから避けにくい無延伸ポリプロピレンを素材としたフィルム（ＣＰＰフィルム）、カバーシートをＣＰＰフィルムよりも透明度が高い２軸延伸ポリプロピレンを素材としたフィルム（ＯＰＰフィルム）で作製しているので、ベース部とカバーシートの両方をＯＰＰフィルムで作製する場合に比べて、ベース部が丈夫で裂けにくい台紙とすることができる。また、カバーシートがＯＰＰフィルムで作製されているので、カバーシートをＣＰＰフィルムで作製する場合に比べて透明度が高くなり、ポケットに収容された写真を鮮やかに見せることができる。
【０００９】
好ましい実施形態においては、前記カバーシートは、前記ベース部を中間に挟んでベース部の両面上に折り重ねられており、前記ポケットは、カバーシートの折り返し縁と平行する縁が前記口部として開放され、折り返し縁と直交する二辺が溶着により塞がれている。
【００１０】
上記の構成によれば、カバーシートを二つ折りにして用いることで、ベース部の両面にポケットを有する台紙を簡単に作製することができる。
【００１１】
最適な実施形態においては、前記ポケットの口部とポケットは、写真の挿脱が可能な幅に形成されているが、ポケットは写真に限らず、写真以外のものの収容に用いることもできる。
【００１２】
この発明の上記構成において、ポケットはベース部の一方の表面にのみ形成されていてもよく、ベース部の両方の表面に形成されていてもよい。また、ポケットはベース部の少なくとも一方の表面に１つまたはそれ以上形成されているものである。
【００１３】
第２の発明にかかるアルバムは、上記台紙が複数枚綴じられたものである。
【００１４】
上記台紙を用いることで、丈夫で裂けにくく、ポケットに挿入された写真を鮮やかに見せることができるアルバムを作製することができる。
【発明の効果】
【００１５】
この発明によれば、ベース部をＣＰＰフィルムで作製しているので、ベース部とカバーシートの両方をＯＰＰフィルムで作製する場合に比べて、ベース部が裂けにくく丈夫な台紙及びアルバムとすることができる。また、カバーシートをＯＰＰフィルムで作製しているので、カバーシートをＣＰＰフィルムで作製する場合に比べて透明度が高くなり、ポケットに挿入された写真を鮮やかに見せることができる。
【図面の簡単な説明】
【００１６】
【図１】本発明の一実施形態に係る台紙の平面図である。
【図２】図１のＡ−Ａ線から見た断面図である。
【図３】図１のＢ−Ｂ線から見た断面図である。
【図４】台紙の分解斜視図である。
【図５】図１の台紙を綴じたアルバムの斜視図である。
【図６】台紙の他の実施例を示す平面図である。
【図７】図６のＣ−Ｃ線から見た断面図である。
【図８】台紙の他の実施例を示す平面図である。
【図９】図８のＤ−Ｄ線から見た断面図である。
【図１０】台紙の他の実施例を示す平面図である。
【図１１】図１０のＥ−Ｅ線から見た断面図である。
【発明を実施するための最良の形態】
【００１７】
本発明の実施形態である写真用の台紙１０及びアルバム１１について図面を参照して説明する。なお、本発明は写真以外のものを収容する台紙にも適用することができる。
図１〜図４は本発明の台紙１０の一実施形態を示す。
【００１８】
台紙１０は、シート状のベース部２０と、ベース部２０の両面２０ａ、２０ｂに重ねられる透明の２枚のカバーシート３０Ａ、３０Ｂとを備え、ベース部２０の両面２０ａ、２０ｂにおいて、ベース部２０とカバーシート３０Ａ、３０Ｂとの間に矩形状のポケット４０Ａ〜４０Ｄが形成されている。ベース部２０は透明であってもよいが、例えば黒など、任意の色彩で着色されていてもよい。
【００１９】
ベース部２０は無延伸ポリプロピレンを素材としたフィルム（ＣＰＰフィルム）により形成されており、図１において左右方向に長い矩形状を呈している。
カバーシート３０Ａ、３０Ｂは２軸延伸ポリプロピレンを素材としたフィルム（ＯＰＰフィルム）により形成されている。図２、図４に示すように、２枚のカバーシート３０Ａ、３０Ｂはそれぞれ、ベース部２０の左右方向からベース部２０を中間に挟んでベース部２０の両面２０ａ、２０ｂ上に折り重ねられている。
【００２０】
各カバーシート３０Ａ、３０Ｂがベース部２０の両面２０ａ、２０ｂ上に折り重ねられた状態で、図１、図３に示すように、ベース部２０の両面２０ａ、２０ｂにおいて、各カバーシート３０Ａ、３０Ｂの上縁部と下縁部とが溶着部３２、３３でベース部２０に溶着されている。溶着部３２、３３はミシン目状であって、カバーシート３０Ａ、３０Ｂの折り返し縁３１と直交する方向に各カバーシート３０Ａ、３０Ｂの左右方向の全長に亘って直線状に延びている。なお、本実施形態では、熱溶着を行っているが、溶着方法はこれに限定されない。また、カバーシート３０Ａ、３０Ｂの折り返し縁３１と平行する側縁部３４は溶着されずに開放されている。
【００２１】
また、ベース部２０の両面２０ａ、２０ｂにおいて、各カバーシート３０Ａ、３０Ｂの上下方向の中央部に、カバーシート３０Ａ、３０Ｂの溶着部３２、３３と平行に直線のミシン目状の溶着部３５が形成されている。この溶着部３５により、各カバーシート３０Ａ、３０Ｂとベース部２０との間の空間が上下二つに分割され、カバーシート３０Ａとベース部２０の間には２つのポケット４０Ａ、４０Ｂが形成され、カバーシート３０Ｂとベース部２０の間には２つのポケット４０Ｃ、４０Ｄが形成されている。溶着部３５はポケット４０Ａ〜４０Ｄの口部４１（後述）から写真を入れ易くするために、側縁部３４にまで達していない。
【００２２】
すなわち、ポケット４０Ａ〜４０Ｄは、カバーシート３０Ａ、３０Ｂの折り返し縁３１と平行する縁、すなわち、側縁部３４が口部４１として開放されている。また、ポケット４０Ａ，４０Ｃは、折り返し縁３１と直交する二辺、すなわち、溶着部３２、３５が溶着により塞がれており、ポケット４０Ｂ，４０Ｄは、折り返し縁３１と直交する二辺、すなわち、溶着部３３、３５が溶着により塞がれている。
ポケット４０Ａ〜４０Ｄは、左右方向の長さＬ２及び幅Ｌ１に形成されており、口部４１から写真Ｐの挿脱が可能であるとともに、写真Ｐが収容可能な大きさとなっている。具体的には、ポケット４０Ａ〜４０Ｄは、現在商業ベースで一般的に取り扱われている写真Ｐの印画紙のサイズ（Ｅ判８２．５ｍｍ×１１７．０ｍｍ、Ｌ判８９．０ｍｍ×１２７．０ｍｍ、キャビネ判１２７．０ｍｍ×１７８．０ｍｍ、パノラマ判８９．０ｍｍ×２５４．０ｍｍ）が挿脱可能な大きさに形成されている。
【００２３】
上記の台紙１０によれば、ベース部２０は、ノッチから裂けにくくて丈夫なＣＰＰフィルム、カバーシート３０Ａ、３０ＢはＣＰＰフィルムよりも透明度が高いＯＰＰフィルムでそれぞれ作製しているので、ベース部２０とカバーシート３０Ａ、３０Ｂの両方をＯＰＰフィルムで作製する場合に比べて、ベース部２０が丈夫で裂けにくい台紙１０とすることができる。また、カバーシート３０Ａ、３０ＢがＯＰＰフィルムで作製されているので、カバーシート３０Ａ、３０ＢをＣＰＰフィルムで作製する場合に比べて透明度が高くなり、ポケット４０Ａ〜４０Ｄに収容された写真Ｐを鮮やかに見せることができる。
【００２４】
図５は図１〜図４の実施形態に係る台紙１０が複数枚綴じられているアルバム１１を示す。アルバム１１は表紙１２と複数の台紙１０を備えている。
表紙１２の中央部に互いに平行に２つの折り目１２ａ、１２ｂが設けられており、この折り目１２ａ、１２ｂで折り曲げることで表表紙１２ｃ、裏表紙１２ｄ、及び背表紙１２ｅが形成される。表紙１２は台紙１０を支持できる素材であればよく、プラスチック等の合成樹脂や紙で構成されていてもよい。
【００２５】
台紙１０は複数枚重ねられており、図１の左右方向中央部であって、ベース部２０のカバーシート３０Ａ、３０Ｂが重ねられていない部分で二つ折り可能となっている。
台紙１０を複数枚重ねた状態で、台紙１０の左右方向中央部を表紙１２の折り目１２ａ、１２ｂの間の背表紙１２ｅに溶着することで、台紙１０が表紙１２に綴じ付けられている。表紙１２を折り目１２ａ、１２ｂで折り曲げることで、台紙１０が二つ折りされ、ブック状のアルバム１１が作製される。
【００２６】
本発明によれば、図１〜図４に示す実施形態に係る台紙１０を用いているので、カバーシート３０Ａ、３０Ｂが裂けにくく丈夫であり、ポケット４０Ａ〜４０Ｄに挿入された写真Ｐを鮮やかに見せることができるアルバム１１とすることができる。
【００２７】
以上、本発明の一実施形態について説明したが、本発明は上記実施形態に限定されるものではなく、本発明の趣旨を逸脱しない限りにおいて種々の変更が可能である。
【００２８】
上記実施形態では、ベース部２０の両面２０ａ、２０ｂにおいて、台紙１０の各カバーシート３０Ａ、３０Ｂの中央部にそれぞれ溶着部３５を１つ設けてポケット４０Ａ〜４０Ｄを２つ形成しているが、溶着部３５を２つ以上設けて、各カバーシート３０Ａ、３０Ｂにポケットを３つ以上形成してもよい。また、溶着部３５を設けず、各カバーシート３０Ａ、３０Ｂにポケットを１つずつ形成してもよい。
【００２９】
また、上記実施形態ではカバーシート３０Ａ、３０Ｂは二つ折りにされてベース部２０を中間に挟んでいたが、図６及び図７に示すように、台紙１０は４枚のカバーシート３０Ｃ〜３０Ｆを備え、各カバーシート３０Ｃ〜３０Ｆはベース部２０の両面２０ａ、２０ｂの左右方向の両側部に重ねて溶着されてもよい。この場合、ベース部２０の左右方向の両側部に対応する各カバーシート３０Ｃ〜３０Ｆの側縁部に溶着部３６が形成される。
なお、カバーシートは必ずしも両面２０ａ、２０ｂでなく、一方の面だけに重ねられていてもよい。
【００３０】
また、上記実施形態では、ベース部２０の両面２０ａ、２０ｂ上に折り重ねられたカバーシート３０Ａ、３０Ｂとベース部２０とは三者一体に溶着されているが、ベース部２０の一方の面２０ａに折り重ねられたカバーシート３０Ａ、３０Ｂと他方の面２０ｂに折り重ねられたカバーシート３０Ａ、３０Ｂとを別々にベース部２０に溶着してもよい。
【００３１】
また、溶着部３５の位置は、上記実施形態のようにカバーシート３０Ａ、３０Ｂの上下方向の中央部である必要はなく、任意の位置に形成することで各カバーシート３０Ａ、３０Ｂとベース部２０との間の空間を任意の大きさに分割し、異なる大きさのポケットを形成してもよい。
【００３２】
また、上記実施形態では、各カバーシート３０Ａ、３０Ｂの折り返し縁３１と平行する側縁部３４を開放することでポケット４０Ａ〜４０Ｄの口部４１としているが、図８及び図９に示すように、カバーシート３０Ａ、３０Ｂの上縁部を開放してポケットの口部４１とし、側縁部、下縁部を溶着部３６、３３で塞いでもよい。なお、この実施形態においては各カバーシート３０Ａ、３０Ｂの上下方向の中央部に溶着部３５は形成せず、各カバーシート３０Ａ、３０とベース部２０との間に１つずつポケット４０Ｅ、４０Ｆが形成されている。
【００３３】
さらに、図１０及び図１１に示すように、カバーシート３０Ａは、ベース部２０の右または左の一方向からベース部２０を中間に挟んでベース部２０の両面２０ａ、２０ｂ上に折り重ねられていてもよい。ベース部２０の左側には綴代部２１が設けられており、綴代部２１には所定間隔で縦方向に複数の綴孔２２が形成されている。綴代部２１は紙やベース部２０と同じ素材で形成されていてもよく、他の素材で形成されていてもよい。
台紙１０を複数用意し、各台紙１０の綴孔２２を、アルバム１１の表紙１２の２つの折り目１２ａ、１２ｂの間に設けられたリング状の留め具（図示せず）に通して台紙１０を表紙１２に綴じ、アルバム１１を作製してもよい。
【符号の説明】
【００３４】
１０  台紙
１１  アルバム
２０  ベース部
２０ａ、２０ｂ  ベース部の両面
３０Ａ、３０Ｂ、３０Ｃ〜３０Ｆ  カバーシート
３１  折り返し縁
３２、３３、３５  溶着部
４０Ａ〜４０Ｄ  ポケット
４１  口部
【図１】
2017080953.tif 000003
【図２】
2017080953.tif 000004
【図３】
2017080953.tif 000005
【図４】
2017080953.tif 000006
【図５】
2017080953.tif 000007
【図６】
2017080953.tif 000008
【図７】
2017080953.tif 000009
【図８】
2017080953.tif 000010
【図９】
2017080953.tif 000011
【図１０】
2017080953.tif 000012
【図１１】
2017080953.tif 000013